(57)【要約】      （修正有）【課題】キャリーバッグのハンドルに掛け止めた小物などのズレ止めができるようにするとともに、ハンドルを下げたときにもバッグ本体側に適正に収めることができるようにし、利用勝手のよいキャリーバッグを提供する。【解決手段】キャリーバッグハンドル用のストッパー６を、キャリーバッグハンドルの上面に接着可能な接着手段を下面に有し、接着手段を介したキャリーバッグハンドル上面への取付によりハンドルへの掛け止め物のズレ止めを行なう係止手段を形成する凸体からなるものとした。【選択図】図１
0003171270.tif 000002
【実用新案登録請求の範囲】
【請求項１】
キャリーバッグハンドルの上面に接着可能な接着手段を前記キャリーバッグハンドルの上面形状に応じて変形可能な取付板の下面に有し、前記接着手段を介したキャリーバッグハンドル上面への取付によりハンドルへの掛け止め物のズレ止めを行なう係止手段を前記取付板の上面側に形成する凸体からなることを特徴とするキャリーバッグハンドル用ストッパー。
【考案の詳細な説明】
【技術分野】
【０００１】
本考案はキャリーバッグのハンドルに掛け止めたベルトなどのズレ止めを行なうためのストッパーに関するものである。
【背景技術】
【０００２】
従来からキャリーバッグは、伸縮可能なステーを介してハンドルがバッグ本体に取り付けられていて、ステーを引き伸ばすようにしてハンドルをバッグ本体から引き上げ、バッグ本体にある把手で手提げせずに前記ハンドルに手を掛けてバッグ本体を曳くことができる構造を備えている。そして、曳く際にステーの長さが変化しないようにするためや、バッグ本体のキャスター及び接地座のある部分を下部としてそのバッグ本体を立てた際に不用意にステーが縮んでハンドルが下がるということが生じないようにするために、ハンドル内部からステー内部に掛けてステー長さを変更可能に維持するロック機構を組み入れるとともに、ハンドル中央の上面に配した操作ボタンを押すことで前記ロック機構によるロックを解除できるようにした工夫が、例えば特許文献１に示されている。
【０００３】
また、キャリーバッグには、バッグ本体がハードケース仕様ばかりでなくソフトケース仕様のものもあり、バッグ本体がソフトケース仕様であるときに収納物によってバッグ本体の形状が保てなくなるのを防ぐことを目的として、さらには小物やビニール袋などを掛け止めることができるようにすることを目的として、ハンドルの下部にフックを設けておき、これにソフトケース仕様のバッグ本体を引っ掛けて型崩れを防止したり、前記フックに小物やビニール袋などを掛けることができるようにした工夫も、例えば特許文献２に示されている。
【先行技術文献】
【特許文献】
【０００４】
【特許文献１】再公表特許第２００２／０６７７１９号
【特許文献２】実用新案登録第３１６２９１９号公報
【考案の概要】
【考案が解決しようとする課題】
【０００５】
上述したようにハンドルの下にフックを設けておく工夫については、バッグ本体がハードケース仕様のものであって、ハンドルが上げ下げできるとともにロック機構によって引き上げたハンドルの高さが位置決めできる一般的なキャリーバッグにおいても利用できると考えられる。例えば、このキャリーバッグを携行していて人と待ち合わせするなどのような場合、キャリーバッグを立て置いて、ハンドルを引き出した状態のままとしておくことがよく行なわれている。そして、引き出したハンドルの高さ位置もロック機構によって変化しないことから、前述したようにハンドルの下にフックがあれば、他に携行していた小物、ビニール袋、傘などをハンドル下に吊り下げておくことで、一時的であっても手持ちする小物類がなくなるため、便利になるかと考えられる。
【０００６】
しかしながら、ハンドル下にフックを吊り下げる構造とした場合、ハンドルをバッグ本体側に降ろしたときに、フックが位置する部分が邪魔となってハンドルのバッグ本体に対する収まりが悪くなり、ハンドルをバッグ本体の外観を損なわない位置に収め置けなくなるという不具合が生じる。
【０００７】
そこで本考案は、キャリーバッグのハンドルに掛け止めた小物などがずり落ちないようにするとともに、ハンドルを下げたときにもバッグ本体側に適正に収めることができるようにすることを課題とし、利用勝手のよいキャリーバッグを提供することを目的とするものである。
【課題を解決するための手段】
【０００８】
本考案は上記課題を考慮してなされたもので、キャリーバッグハンドルの上面に接着可能な接着手段を前記キャリーバッグハンドルの上面形状に応じて変形可能な取付板の下面に有し、前記接着手段を介したキャリーバッグハンドル上面への取付によりハンドルへの掛け止め物のズレ止めを行なう係止手段を前記取付板の上面側に形成する凸体からなることを特徴とするキャリーバッグハンドル用ストッパーを提供して、上記課題を解消するものである。
【考案の効果】
【０００９】
本考案によれば、キャリーバッグハンドルの上面に本ストッパーを取り付けることで、カバンのベルト部分やレジ袋の手掛け部分、そして傘の柄などの手提げ物品の手掛け部分をハンドルの上側から掛けた際の不用意なズレ落ちを防止することができるようになる。そして、これら手提げ物品を外したハンドルを降ろす場合でも、そのハンドル下とバッグ本体との間に何ら障害となるものが存在せず、ハンドルをバッグ本体側に適正に収め置くことができて、キャリーバッグの主体であるバッグ本体の外観を大きく損なうことがないという優れた効果を奏する。
【図面の簡単な説明】
【００１０】
【図１】本考案に係る実施例のストッパーを取り付けたハンドルを引き上げた状態を示す説明図である。
【図２】同じくハンドルを降ろした状態を示す説明図である。
【図３】ハンドルの係止凸部を示す説明図である。
【図４】実施例のストッパーを示す説明図である。
【図５】他の実施例を示す説明図である。
【考案を実施するための形態】
【００１１】
つぎに本考案を図１から図４に示す実施の形態に基づいて詳細に説明する。
図中１はキャリーバッグで、該キャリーバッグ１は、キャスター２を有するバッグ本体３の前記キャスター２を下部としてバッグ本体３を立てたときのそのキャスター２側とは反対側となる部分に、バッグ本体３内から伸ばし出すことができる一対の伸縮可能なステー４を介してハンドル５が取り付けられていて、バッグ本体３を立てた状態でのバッグ本体３の高さ方向において、前記ハンドル５を降ろした際のバッグ本体３側での位置から前記一対のステー４を伸長してバッグ本体３の上方位置までハンドル５を上げ下げできるものである。そして、ハンドル５の引き出し高さ位置は、図示していないロック機構によりハンドル５を降ろした状態とステー４を最大に伸長させた状態でロックされたり、任意の高さ位置でロックしたりできるように設けられているものである。
【００１２】
そして、本考案においては、図示されているように上記ハンドル５の両端それぞれに、バッグ本体の高さ方向の上方、即ち、ステー４の伸縮方向であってハンドル５を上げ下げする方向に沿った方向での上方に向けて突出したストッパー６が取り付けられている。図示の例では、前記ストッパー６の取付位置は、ハンドル５での手掛け範囲から外れているハンドル端部であって、ステー４とハンドル５との連結部位の上位置となる部分である。
【００１３】
このように、バッグ本体３から引き上げて位置決めできるハンドル５の両端にストッパー６を取り付けることで、このキャリーバッグ１を立て置いてハンドル５を引き上げておけば、バッグのベルトや傘の柄などの掛け止め物をハンドルの上方から掛けて、それらがハンドル５の端部側にズレた場合でもストッパー６が受け止めてズレ落ちを防止することができる。そして、ストッパー６の位置がステー４の上位置であるため、ストッパー６に係止して支持された物品の荷重はステー４で容易に支持でき、ハンドル５を撓ませるなどの不具合も生じない。さらに上述したように、ストッパー６がハンドルの上面に位置しているため、このハンドル５をバッグ本体に降ろしても前記ストッパー６がハンドル下とバッグ本体との間に位置することはなく、バッグ本体からハンドル部分が大きく突出してバッグ本体の外観を損なうという不具合も生じない。
【００１４】
上記ストッパー６は、ハンドル５の上面に取り付けることで上方に凸となって係止手段を形成する凸体６０とこの凸体６０の下端に一体となる平板状の取付板６１とからなるもので、前記取付板６１の下面には接着剤が塗布されており、この接着剤を介してストッパー6がハンドル５に接着固定できるものとなっている。
【００１５】
また、このストッパー６の成形材料は特に限定されるものではなく、ゴム材や合成樹脂材から成形することができるものであって、前記取付板６１が各種形状となっているハンドル５の上面形状の違いを吸収できるように柔軟性を有するものであればよく、ハンドルの上面形状に応じた変形が可能であればよい。形状自体は特に限定されるものではないが、図示されているように凸体６０は頂部を球面とした円柱状にし、取付板６１については凸体６０の基部周りに張り出る円板部の縁から径方向の両側にして短冊状の板部が張り出る形状とすることができる。
【００１６】
例えば、取付版６１の形状自体も平板状に限定されるものではなく、図５の変形例で示すように取付板６１の上面が波形となるものとして滑り止めに効果ある形態であってもよい。この図５の変形例で具体的に示すように、凸体６０にあっても取付板６１の端部にて反対の端部側に向けて傾斜した傾斜板状の形状としたり（ａ）、弧状に屈曲した形状（ｂ）や鉤状に屈曲した形状（ｃ）としたり、ハンドル上面の形態によりフィットし易くなるように割れを有した形状（ｄ）としてもよい。さらに動物などの形態を真似た形状（ｅ）としてもよく、そして、色彩を有するようにすることも可能であって、他のキャリーバッグとの違いを目立たせるアクセント付けとなったりデザイン性を向上させたりする上で有効である。
【符号の説明】
【００１７】
１…キャリーバッグ
２…キャスター
３…バッグ本体
４…ステー
５…ハンドル
６…ストッパー
６０…凸体
６１…取付板
【図１】
0003171270.tif 000003
【図２】
0003171270.tif 000004
【図３】
0003171270.tif 000005
【図４】
0003171270.tif 000006
【図５】
0003171270.tif 000007